(57)【要約】【課題】マルチレーン伝送方式において、使用禁止スロットを設けて中間帯域を生成する際に、回路規模を低減する。【解決手段】複数のクライアント装置及び複数の物理回線に接続し、複数のクライアント装置から受信するクライアント信号を予め定められるスロットの長さに分割して複数の物理回線の使用が禁止されていないスロットに割り当てて送信するインタフェース装置と、複数の物理回線及び伝送ネットワークに接続し、使用が禁止されているスロット以外のスロットを多重して伝送ネットワークに送信する伝送装置とにより行われ、インタフェース装置が、使用を禁止するスロットである使用禁止スロットを選択する際、使用禁止スロットを含む物理回線の数が最小となるように使用禁止スロットを選択し、伝送装置が、使用禁止スロットを含む物理回線からの信号を受信し、受信した信号から使用禁止スロットを削除する。【選択図】図１
2018085653.tif 000002
【特許請求の範囲】
【請求項１】
複数のクライアント装置及び複数の物理回線に接続し、前記複数のクライアント装置から受信するクライアント信号を予め定められるスロットの長さに分割して前記複数の物理回線の使用が禁止されていない前記スロットに割り当てて送信するインタフェース装置と、
前記複数の物理回線及び伝送ネットワークに接続し、前記複数の物理回線から信号を受信し、受信した前記信号から使用が禁止されている前記スロット以外の前記スロットを多重して前記伝送ネットワークに送信する伝送装置と、
前記インタフェース装置に備えられ、前記使用を禁止するスロットである使用禁止スロットを選択する際、前記使用禁止スロットを含む前記物理回線の数が最小となるように前記使用禁止スロットを選択する使用禁止スロット設定部と、
前記伝送装置において、前記使用禁止スロットを含む前記物理回線に対応付けて備えられ、当該物理回線からの前記信号を受信し、前記受信した信号から前記使用禁止スロットを削除するクランチ処理部と、
を備える光伝送システム。
【請求項２】
前記クランチ処理部は、前記使用禁止スロットと、使用が禁止されていない前記スロットが混在する前記物理回線に対応付けられて１台のみ備えられる、請求項１に記載の光伝送システム。
【請求項３】
前記使用禁止スロットを含む前記物理回線からの信号を前記クランチ処理部が受信できず、前記クランチ処理部が前記使用禁止スロットを削除できない場合、前記伝送装置は、前記使用禁止スロット設定部に、前記クランチ処理部の備えられる位置に応じて、前記使用禁止スロットの設定対象の前記物理回線を変更させる設定情報を生成し、前記インタフェース装置の前記使用禁止スロット設定部は、生成される前記設定情報に基づいて、前記使用禁止スロットの設定対象の前記物理回線を変更する、請求項１又は２に記載の光伝送システム。
【請求項４】
前記伝送装置は、接続する前記複数の物理回線と、前記クランチ処理部との間に、接続を切り替えるスイッチを有するスイッチ部を備えており、前記スイッチ部は、前記使用禁止スロットを含む前記物理回線からの信号を前記クランチ処理部が受信できるように前記スイッチを切り替える、請求項１から３のいずれか一項に記載の光伝送システム。
【請求項５】
複数のクライアント装置及び複数の物理回線に接続し、前記複数のクライアント装置から受信するクライアント信号を予め定められるスロットの長さに分割して前記複数の物理回線の使用が禁止されていない前記スロットに割り当てて送信するインタフェース装置と、前記複数の物理回線及び伝送ネットワークに接続し、前記複数の物理回線から信号を受信し、受信した前記信号から使用が禁止されている前記スロット以外の前記スロットを多重して前記伝送ネットワークに送信する伝送装置とによる光伝送方法であって、
前記インタフェース装置が、前記使用を禁止するスロットである使用禁止スロットを選択する際、前記使用禁止スロットを含む前記物理回線の数が最小となるように前記使用禁止スロットを選択し、
前記伝送装置が、前記使用禁止スロットを含む前記物理回線からの前記信号を受信し、前記受信した信号から前記使用禁止スロットを削除する光伝送方法。
【発明の詳細な説明】
【技術分野】
【０００１】
本発明は、光伝送システム、及び光伝送方法に関する。
【背景技術】
【０００２】
通信需要の増大とともにイーサネット（登録商標）のインタフェース速度の高速化が進んでおり、１リンク当たりＭｂｉｔ／ｓクラスの低速なインタフェースから、１００Ｇｂｉｔ／ｓクラスの高速なインタフェースまで、通信回線の高速化の需要とともに多様な速度のインタフェースが標準化されてきた。
【０００３】
このような環境において、将来のさらなる高速化の需要に対応するために、並列化された複数の物理回線に対してクライアント信号のトラフィックを割り当てることにより、物理回線のレート以上の伝送レートを実現できるマルチレーン伝送システムの検討が行われている（例えば、特許文献１参照）。
【０００４】
マルチレーン伝送システムは、大幅に伝送容量を拡大することができる一方、大容量化したリンクの中を分割して、多様なサービスを多重化することは困難であった。そこで、標準化団体であるＯＩＦ(Optical Interwork Forum)は、マルチレーン伝送路を５Ｇｂｉｔ／ｓの粒度で論理的に分割し、そこへ多数のクライアント信号を多重することが可能なＦｌｅｘＥとよばれる技術を２０１６年３月に勧告化した（例えば、非特許文献１参照）。
【０００５】
図１０は、ＦｌｅｘＥの概観を示す図である。図１０において、クライアントＡとクライアントＢの２つのクライアント信号が、ＦｌｅｘＥ  Ｓｈｉｍ８０ｐと呼ばれる機能ブロックによって受信されている。ＦｌｅｘＥ  Ｓｈｉｍ８０ｐは、例えば、ルータインタフェースなどに取り付けられ、複数のイーサネット（登録商標）による物理回線（ＰＨＹ＃１〜＃４）を束ねたＦｌｅｘＥ  Ｇｒｏｕｐを構成する。ここで、便宜的にＦｌｅｘＥが伝送されるＦｌｅｘＥ  Ｓｈｉｍ８０ｐ及びＦｌｅｘＥ  Ｓｈｉｍ８０ｑの区間をＦｌｅｘＥ区間という。
【０００６】
ＦｌｅｘＥ  Ｓｈｉｍ８０ｐが受信した各クライアント信号は、６４ｂ／６６ｂ符号化により６６ｂブロックとされた後、２０個のスロットを１ブロックとし、当該ブロックがｎ個並べられてカレンダーに収容される。ここで、ｎは、ＦｌｅｘＥ区間を構成する物理回線の数である（図１０においては、ＰＨＹ＃１〜＃４であるため、ｎ＝４となる）。２０ｎ個のスロットからなるカレンダーは１つのスロットが５Ｇｂｉｔ／ｓの伝送容量となるよう周期的に生成され、クライアント信号の各々は２０ｎ個のスロットのうち、固定的な組み合わせのスロットへ収容される。
【０００７】
その後、カレンダーへ多重化されたクライアント信号は、ブロックごとに物理回線の各々に分配、すなわちマルチレーン化される。マルチレーン化の際に、ＦｌｅｘＥのカレンダーへのクライアント信号の収容状況の伝達機能やリンクの状態監視機能などを有するオーバーヘッド（ＯＨ：OverHead）領域が１０２３ブロックごとに付与される。このように、ＦｌｅｘＥ  Ｓｈｉｍ８０ｐは、複数の物理回線を束ねることでマルチレーン伝送リンクであるＦｌｅｘＥ  Ｇｒｏｕｐを形成し、リンク内を５Ｇｂｉｔ／ｓの粒度で区切ることで中間帯域を生成する。
【０００８】
ＦｌｅｘＥのユースケースの１つを図１１に示す。このユースケースではＦｌｅｘＥが光トランスポートネットワーク１００内を転送されている。転送にあたっては、光トランスポートネットワーク１００専用のプロトコルであるＯＴＮ(Optical Transport Network)が用いられる（例えば、非特許文献２参照）。このときに用いられるＦｌｅｘＥの機能の１つに、カレンダーのスロットに対して使用禁止スロット（Ｕｎａｖａｉｌａｂｌｅ  ｓｌｏｔともいう）を設定する機能がある。使用禁止スロットとは、クライアント信号の収容が禁止されるスロットである。
【０００９】
光トランスポートネットワーク１００の一方の入り口に設けられたＦｌｅｘＥ  ａｗａｒｅ  ｍａｐｐｅｒ９０ｐは、この使用禁止スロットを削除（以下、使用禁止スロットの削除のことをＣｒｕｎｃｈまたはクランチともいう)し、トランスポンダーで伝送可能な程度にまで伝送レートを低下させることを可能とするものである。図１１の例では、１００Ｇｂｉｔ／ｓの伝送速度を有する物理回線を４本束ねてＦｌｅｘＥ  Ｇｒｏｕｐを形成しているので、本来であれば、最大で４００Ｇｂｉｔ／ｓの伝送容量を有する。これに対して、光トランスポートネットワーク１００内での光リンクの伝送容量が３５０Ｇｂｉｔ／ｓであるとき、全てのＦｌｅｘＥ  Ｇｒｏｕｐ内のスロットを光トランスポートネットワーク１００で転送することができない。
【００１０】
そこで、ＦｌｅｘＥ  Ｓｈｉｍ８０ｐは、光トランスポートネットワーク１００内での光リンクの伝送容量に応じて使用禁止スロットを設定することによりクライアント信号の収容に制限を設けてクライアント信号を送信する。ＦｌｅｘＥ  ａｗａｒｅ  ｍａｐｐｅｒ９０ｐが、物理回線ＰＨＹ＃１〜＃４の各々に割り当てられている使用禁止スロットを削除する。これにより、全てのＦｌｅｘＥ  Ｇｒｏｕｐ内のスロット、すなわち全てのクライアント信号を光トランスポートネットワーク１００で転送することができるようになる。具体的には、物理回線のＰＨＹ＃１〜＃４の各々において、ＰＨＹ＃１〜＃３では、２０スロット中の２スロット分（１０Ｇｂｉｔ／分）、ＰＨＹ＃４では、４スロット分（２０Ｇｂｉｔ／ｓ）を使用禁止スロットとし、トータルで３５０Ｇｂｉｔ／ｓのクライアント信号を収容可能なＦｌｅｘＥ  Ｇｒｏｕｐが形成される。ＦｌｅｘＥ  Ｓｈｉｍ８０ｐは、使用禁止スロット以外のスロットにクライアント信号を収容する。
【００１１】
図１２は、前述したＦｌｅｘＥ  ａｗａｒｅ  ｍａｐｐｉｎｇの処理、すなわちＦｌｅｘＥ  Ｓｈｉｍ８０において使用禁止スロットを設定して使用禁止スロット以外にクライアント信号を収容させ、Ｆｌｅｘ  ａｗａｒｅ  ｍａｐｐｅｒ９０において使用禁止スロットを削除する処理を行う際の機能ブロックを示す図である。物理回線ＰＨＹ＃１〜＃４が接続されるＦｌｅｘＥＳｈｉｍ８０のインタフェースの各々には、使用禁止スロット設定部８２−１〜８２−４が備えられている。使用禁止スロット設定部８２−１〜８２−４は、物理回線ＰＨＹ＃１〜＃４の各々について任意の数のスロットを使用禁止スロットとして設定する。ＦｌｅｘＥ  ａｗａｒｅ  ｍａｐｐｅｒ９０は、ＦｌｅｘＥ  Ｇｒｏｕｐを終端し、光トランスポートネットワーク１００に送信する。このとき、Ｃｒｕｎｃｈ処理部９３−１〜９３−４が、使用禁止スロットを削除してデータレートを低下させる。
【先行技術文献】
【特許文献】
【００１２】
【特許文献１】特開２０１５−８４５８７号公報
【非特許文献】
【００１３】
【非特許文献１】“Flex Ethernet Implementation Agreement 1.0”, OIF, IA OIF-FLEXE-01.0, March 2016
【非特許文献２】“Interfaces for the optical transport network”, ITU-T G.709/Y.1331, February 2012
【発明の概要】
【発明が解決しようとする課題】
【００１４】
前述したように、使用禁止スロット設定部８２−１〜８２−４は、対応する物理回線ＰＨＹ＃１〜＃４に対して任意の数の使用禁止スロットを挿入することができる。図１１で示した例では、４本のＰＨＹ＃１〜＃４を束ねた４００Ｇｂｉｔ／ｓの伝送容量を有するＰＨＹ＃１〜＃３では、２０スロット中の２スロット分（１０Ｇｂｉｔ／分）、ＰＨＹ＃４では、４スロット分（２０Ｇｂｉｔ／ｓ）を使用禁止スロットとして設定している。このため、任意の物理回線ＰＨＹ＃１〜＃４に挿入された使用禁止スロットを削除して中間帯域を生成するためには、ＦｌｅｘＥ  ａｗａｒｅ  ｍａｐｐｅｒ９０において、Ｃｒｕｎｃｈ処理部９３−１〜９３−４を物理回線ＰＨＹ＃１〜＃４と同数備えておく必要があり、回路規模が大きくなっているという問題がある。
【００１５】
上記事情に鑑み、本発明は、マルチレーン伝送方式において、使用禁止スロットを設けて中間帯域を生成する際に、回路規模を低減することができる技術の提供を目的としている。
【課題を解決するための手段】
【００１６】
本発明の一態様は、複数のクライアント装置及び複数の物理回線に接続し、前記複数のクライアント装置から受信するクライアント信号を予め定められるスロットの長さに分割して前記複数の物理回線の使用が禁止されていない前記スロットに割り当てて送信するインタフェース装置と、前記複数の物理回線及び伝送ネットワークに接続し、前記複数の物理回線から信号を受信し、受信した前記信号から使用が禁止されている前記スロット以外の前記スロットを多重して前記伝送ネットワークに送信する伝送装置と、前記インタフェース装置に備えられ、前記使用を禁止するスロットである使用禁止スロットを選択する際、前記使用禁止スロットを含む前記物理回線の数が最小となるように前記使用禁止スロットを選択する使用禁止スロット設定部と、前記伝送装置において、前記使用禁止スロットを含む前記物理回線に対応付けて備えられ、当該物理回線からの前記信号を受信し、前記受信した信号から前記使用禁止スロットを削除するクランチ処理部と、を備える光伝送システムである。
【００１７】
本発明の一態様は、上記の光伝送システムであって、前記クランチ処理部は、前記使用禁止スロットと、使用が禁止されていない前記スロットが混在する前記物理回線に対応付けられて１台のみ備えられる。
【００１８】
本発明の一態様は、上記の光伝送システムであって、前記使用禁止スロットを含む前記物理回線からの信号を前記クランチ処理部が受信できず、前記クランチ処理部が前記使用禁止スロットを削除できない場合、前記伝送装置は、前記使用禁止スロット設定部に、前記クランチ処理部の備えられる位置に応じて、前記使用禁止スロットの設定対象の前記物理回線を変更させる設定情報を生成し、前記インタフェース装置の前記使用禁止スロット設定部は、生成される前記設定情報に基づいて、前記使用禁止スロットの設定対象の前記物理回線を変更する。
【００１９】
本発明の一態様は、上記の光伝送システムであって、前記伝送装置は、接続する前記複数の物理回線と、前記クランチ処理部との間に、接続を切り替えるスイッチを有するスイッチ部を備えており、前記スイッチ部は、前記使用禁止スロットを含む前記物理回線からの信号を前記クランチ処理部が受信できるように前記スイッチを切り替える。
【００２０】
本発明の一態様は、複数のクライアント装置及び複数の物理回線に接続し、前記複数のクライアント装置から受信するクライアント信号を予め定められるスロットの長さに分割して前記複数の物理回線の使用が禁止されていない前記スロットに割り当てて送信するインタフェース装置と、前記複数の物理回線及び伝送ネットワークに接続し、前記複数の物理回線から信号を受信し、受信した前記信号から使用が禁止されている前記スロット以外の前記スロットを多重して前記伝送ネットワークに送信する伝送装置とによる光伝送方法であって、前記インタフェース装置が、前記使用を禁止するスロットである使用禁止スロットを選択する際、前記使用禁止スロットを含む前記物理回線の数が最小となるように前記使用禁止スロットを選択し、前記伝送装置が、前記使用禁止スロットを含む前記物理回線からの前記信号を受信し、前記受信した信号から前記使用禁止スロットを削除することを含む光伝送方法である。
【発明の効果】
【００２１】
本発明により、マルチレーン伝送方式において、使用禁止スロットを設けて中間帯域を生成する際に、回路規模を低減することが可能となる。
【図面の簡単な説明】
【００２２】
【図１】第１の実施形態における光伝送システムの構成等を示すブロック図である。
【図２】第１の実施形態における光ネットワークシステムの構成を示すブロック図である。
【図３】第１の実施形態におけるＦｌｅｘＥ信号のオーバーヘッド領域のデータ構成を示す図である。
【図４】第１の実施形態におけるカレンダー設定情報の切り替え処理を示すシーケンス図である。
【図５】第２の実施形態におけるカレンダー設定情報の切り替え処理を示すシーケンス図である。
【図６】第３の実施形態におけるカレンダー設定情報の切り替え処理を示すシーケンス図である。
【図７】第４の実施形態における光伝送システム２の構成を示すブロック図である。
【図８】第５の実施形態における光伝送システムの構成等を示すブロック図である。
【図９】第６の実施形態における光伝送システムの構成等を示すブロック図である。
【図１０】ＦｌｅｘＥの概観を示す図である。
【図１１】ＦｌｅｘＥの使用例を示す図である。
【図１２】ＦｌｅｘＥ  Ｓｈｉｍ及びＦｌｅｘ  ａｗａｒｅ  ｍａｐｐｅｒの構成を示す図である。
【発明を実施するための形態】
【００２３】
（第１の実施形態）
以下、本発明の実施形態について図面を参照して説明する。図１は、本発明の第１の実施形態による光伝送システム１と、当該光伝送システム１とクライアント装置５０−１〜５０−ｍとの接続関係、及び当該光伝送システム１と光トランスポートネットワーク６０との接続関係を示す図である。光伝送システム１は、インタフェース装置１０と、伝送装置３０と、インタフェース装置１０及び伝送装置３０を接続する物理回線２０−１〜２０−４を備える。なお、以下の説明において、物理回線２０−１，２０−２，２０−３，２０−４の各々を、ＰＨＹ＃１，ＰＨＹ＃２，ＰＨＹ＃３，ＰＨＹ＃４と記載することもある。
【００２４】
インタフェース装置１０は、例えば、前述した非特許文献１で勧告されているＦｌｅｘＥのＦｌｅｘＥ  Ｓｈｉｍであり、伝送装置３０は、例えば、同じく非特許文献１で勧告されているＦｌｅｘ  ａｗａｒｅ  ｍａｐｐｅｒに相当する装置である。インタフェース装置１０は、制御部１１、使用禁止スロット設定部１２−１〜１２−４を備える。また、インタフェース装置１０は、一方で、クライアント信号を送信するクライアント装置５０−１〜５０−ｍ（ここで、ｍは、１以上の任意の自然数である）に接続するインタフェースと、他方で、物理回線２０−１〜２０−４に接続するインタフェースとを備える。
【００２５】
制御部１１は、通信回線に接続され、例えば、図２に示すＮＷ(Network)制御装置７０等から制御情報を受信し、受信した制御情報に基づいて、使用禁止スロット設定部１２−１〜１２−４の各々において、使用禁止スロットを設定するスロットの位置の指定等を行う。また、制御部１１は、クライアント装置５０−１〜５０−ｍから受信したクライアント信号を６４ｂ／６６ｂ符号化により６６ｂブロックとする。また、制御部１１は、２０個のスロットを１ブロックとし、当該ブロックをｎ個並べてカレンダーに収容する。ここで、ｎは、インタフェース装置１０と伝送装置３０とを接続する物理回線の数であり、図１においては、ｎ＝４である。
【００２６】
また、制御部１１は、２０ｎ個のスロットからなるカレンダーの１つのスロットが５Ｇｂｉｔ／ｓの伝送容量となるようにスロットを周期的に生成して、クライアント信号の各々を２０ｎ個のスロットのうち、使用禁止スロット以外の固定的な組み合わせのスロットに収容する。また、制御部１１は、カレンダーに多重化されたクライアント信号を、ブロックごとに物理回線２０−１〜２０−４の各々に対して分配、すなわちマルチレーン化する。また、制御部１１は、マルチレーン化の際に、カレンダーへのクライアント信号の収容状況の伝達機能やリンクの状態監視機能などを有するオーバーヘッド（ＯＨ：OverHead）領域を１０２３ブロックごとに付与して物理回線２０−１〜２０−４に出力する。
【００２７】
使用禁止スロット設定部１２−１〜１２−４は、物理回線２０−１〜２０−４の各々について任意の位置の任意の数のスロットを選択し、選択したスロットを使用禁止スロットとして設定する。
【００２８】
伝送装置３０は、ＰＨＹ終端部３１−１〜３１−４、ＯＨ処理部３２−１〜３２−４、クランチ（Ｃｒｕｎｃｈ）処理部３３、ＭＵＸ部３４、ＯＤＵｆｌｅｘ収容部３５、ＯＴＮ収容部３６を備える。ＰＨＹ終端部３１−１〜３１−４の各々は、物理回線２０−１〜２０−４を終端し、受信した光信号を光・電気変換してクロックの抽出を行う。ＯＨ処理部３２−１〜３２−４は、ＰＨＹ終端部３１−１〜３１−４の各々から出力されるデータに対してオーバーヘッド処理、すなわちＯＨを取り除き、取り除いたＯＨの情報を読み出して管理部３７に出力する。
【００２９】
クランチ処理部３３は、ＯＨ処理部３２−４に接続され、ＯＨ処理部３２−４によってオーバーヘッド処理された後のデータの使用禁止スロットを削除する。ＭＵＸ部３４は、ＯＨ処理部３２−１〜３２−３とクランチ処理部３３が出力するデータを多重化する。ＯＤＵｆｌｅｘ収容部３５は、ＭＵＸ部３４によって多重化されたデータをＯＤＵｆｌｅｘ（Flexible Optical Channel Data Unit）に収容する。ＯＴＮ収容部３６が、ＯＤＵｆｌｅｘに収容されたデータをさらにＯＴＮフレームに収容し、当該ＯＴＮフレームを光トランスポートネットワーク６０に出力する。
【００３０】
管理部３７は、オーバーヘッド（ＯＨ）の監視や挿入、削除するスロット数やＭＵＸ部３４での多重処理における設定等を行う。また、管理部３７は、通信回線に接続され、例えば、図２に示すＮＷ(Network)制御装置７０等に対して、クランチ処理部３３によって使用禁止スロットが削除される対象となるインタフェース（例えば、図１では、物理回線２０−４を終端するＰＨＹ終端部３１−４に対応するインタフェース）を示す情報を送信する。
【００３１】
（光伝送システムの動作）
次に、図２を参照しつつ、本発明の第１の実施形態の動作について説明する。図２は、ＮＷ制御装置７０と、光伝送システム１ｐ，１ｑ、光トランスポートネットワーク６０を備える光ネットワークシステムＳの構成を示す図である。光伝送システム１ｐは、図１に示す光伝送システム１に対応する構成を備えている。以下の説明で、図２に示す光伝送システム１ｐの各機能部を説明する際、例えば、「ＯＴＮ収容部３６」を「ＯＴＮ収容部３６ｐ」のように、光伝送システム１において付与した符号に「ｐ」の符号を加えて示すものとする。光伝送システム１ｑについても同様である。
【００３２】
伝送装置３０ｐの管理部３７ｐは、クランチ処理部３３ｐが使用禁止スロットの削除対象としているインタフェースを示す情報、すなわち物理回線２０ｐ−４を示す情報をＮＷ制御装置７０に送信する。ＮＷ制御装置７０は、伝送装置３０ｐから受信したインタフェースを示す情報と、予め定められる使用禁止にするスロットの位置と数を示す情報とを含む制御情報をインタフェース装置１０ｐに送信する。また、ＮＷ制御装置７０は、予め定められる使用禁止にするスロットの位置と数を示す情報を含む制御情報を伝送装置３０ｐに送信する。
【００３３】
インタフェース装置１０ｐの制御部１１ｐは、ＮＷ制御装置７０から受信した制御情報に基づいて、インタフェースを示す情報に対応する使用禁止スロット設定部１２ｐ−４に、使用禁止にするスロットの設定を行わせる指示情報を出力する。当該指示情報には、予め定められる使用禁止にするスロットの位置と数を示す情報が含まれる。使用禁止スロット設定部１２ｐ−４は、制御部１１ｐから受信した指示情報に基づいて、使用禁止スロットとするスロットを選択し、選択したスロットを使用禁止スロットとして設定する。制御部１１ｐは、使用禁止スロット以外のスロットにクライアント信号を割り当ててマルチレーン化して物理回線２０ｐ−１〜２０ｐ−４に出力する。
【００３４】
伝送装置３０ｐの管理部３７ｐは、ＮＷ制御装置７０から受信した制御信号に含まれる予め定められる使用禁止にするスロットの位置と数を示す情報をクランチ処理部３３ｐに出力する。伝送装置３０ｐのＰＨＹ終端部３１ｐ−１〜３１ｐ−４の各々は、物理回線２０ｐ−１〜２０ｐ−４を終端し、受信した光信号を光・電気変換してクロックの抽出を行う。ＯＨ処理部３２ｐ−１〜３２ｐ−４は、ＰＨＹ終端部３１ｐ−１〜３１ｐ−４の各々から出力されるデータに対してオーバーヘッド処理を行う。
【００３５】
クランチ処理部３３ｐは、管理部３７ｐが出力する予め定められる使用禁止にするスロットの位置と数を示す情報に基づいて、ＯＨ処理部３２ｐ−４によってオーバーヘッド処理された後のデータから使用禁止スロットを削除して中間帯域を生成する。ＭＵＸ部３４ｐは、ＯＨ処理部３２ｐ−１〜３２ｐ−３とクランチ処理部３３ｐから出力されるデータを多重化する。ＯＤＵｆｌｅｘ収容部３５ｐは、ＭＵＸ部３４ｐによって多重化されたデータをＯＤＵｆｌｅｘに収容する。ＯＴＮ収容部３６ｐが、ＯＤＵｆｌｅｘに収容されたデータをさらにＯＴＮフレームに収容し、当該ＯＴＮフレームを光トランスポートネットワーク６０に出力する。
【００３６】
（カレンダーＡ／Ｂを用いた切替処理）
次に、図３及び図４を参照しつつ、図２に示す第１の実施形態の光伝送システム１ｐにおいて、物理回線２０ｐ−４に使用禁止スロットが正しくまとめられていない場合に、物理回線２０ｐ−４に使用禁止スロットがまとめられるように変更する処理について説明する。図３は、非特許文献１に開示されているＦｌｅｘＥ信号のオーバーヘッド領域のデータ構成を示す図である。図３において、符号３０１で示される３つの「Ｃ」には、現在使用中のカレンダーを示す情報が記憶され、他のカレンダーに切り替えを実行する場合、当該他のカレンダーを示す情報を当該「Ｃ」に記憶させて通知を行うことにより切り替えが行われる。符号３０２で示される「ＣＲ」には、使用カレンダー切替要求の対象となるカレンダーを示す情報が記憶される。符号３０３で示される「ＣＡ」には、使用カレンダー切替承認の対象となるカレンダーを示す情報が記憶される。
【００３７】
符号３０４で示される「Ｃｌｉｅｎｔ  Ｃａｌｅｎｄａｒ  Ａ」には、カレンダーＡに関するＦｌｅｘＥ  Ｃｌｉｅｎｔの収容情報が記憶される。符号３０５で示される「Ｃｌｉｅｎｔ  Ｃａｌｅｎｄａｒ  Ｂ」には、カレンダーＢに関するＦｌｅｘＥ  Ｃｌｉｅｎｔの収容情報が記憶される。ここで、ＦｌｅｘＥ  Ｃｌｉｅｎｔの収容情報とは、例えば、クライアント信号のマッピング状況や使用禁止スロットの配置状況等を示す情報である。
符号３０６で示される「Ｍａｎａｇｅｍｅｎｔ  Ｃｈａｎｎｅｌ  −  Ｓｅｃｔｉｏｎ」は、セクション間の汎用的な通信帯域であり、符号３０７で示される「Ｍａｎａｇｅｍｅｎｔ  Ｃｈａｎｎｅｌ  −  Ｓｈｉｍ  ｔｏ  Ｓｈｉｍ」は、セクションやＳｈｉｍ間の汎用的な通信帯域である。
【００３８】
図４は、使用禁止スロットが物理回線２０ｐ−４に正しくまとめられていない場合に、カレンダーＡ／Ｂを用いて使用禁止スロットを物理回線２０ｐ−４にまとめる処理を示すシーケンス図である。ＦｌｅｘＥ信号は、ＦｌｅｘＥ  Ｓｈｉｍであるインタフェース装置１０ｐとインタフェース装置１０ｑの間でトランスポート区間を跨いで送受信される。トランスポート区間は、ＦｌｅｘＥ  ａｗａｒｅ  ｍａｐｐｅｒである伝送装置３０ｐと伝送装置３０ｑによって終端されている。ここで、ＮＷ制御装置７０によって設定されたカレンダーＡの構成が、クランチ処理部３３ｐを有する物理回線２０ｐ−４に使用禁止スロットがまとめられていないために正しく使用禁止スロットを削除することができず、主信号が不通となっている状態とする。伝送装置３０ｐの管理部３７ｐは、当該主信号の不通を検出する（ステップＳａ１）。
【００３９】
伝送装置３０ｐの管理部３７ｐは、主信号の不通を検出すると、ＦｌｅｘＥ信号のオーバーヘッド領域の「Ｃｌｉｅｎｔ  Ｃａｌｅｎｄａｒ  Ａ」３０４を参照して、カレンダーＡの設定情報を検出する。また、管理部３７ｐは、伝送装置３０ｐのクランチ処理部３３ｐが使用禁止スロットを削除する対象としている物理回線２０ｐ−４を示す情報と、検出したカレンダーＡの設定情報とに基づいてカレンダーＢの設定情報を生成する（ステップＳａ２）。伝送装置３０ｐの管理部３７ｐは、生成したカレンダーＢの設定情報を、その時点で使用していないＦｌｅｘＥ信号のオーバーヘッド領域の「Ｃｌｉｅｎｔ  Ｃａｌｅｎｄａｒ  Ｂ」３０５によってインタフェース装置１０ｐ、伝送装置３０ｑ、インタフェース装置１０ｑにカレンダーＢ設定情報通知として送信する（ステップＳａ３）。
【００４０】
伝送装置３０ｐの管理部３７ｐは、ＦｌｅｘＥ信号のオーバーヘッド領域の「ＣＲ」３０２によってカレンダーＢへの切替要求をインタフェース装置１０ｐ、伝送装置３０ｑ、インタフェース装置１０ｑに送信する（ステップＳａ４）。インタフェース装置１０ｐの制御部１１ｐは、カレンダーＢへの切替要求を受信して、切り替えの準備処理が整うとＦｌｅｘＥ信号のオーバーヘッド領域の「ＣＡ」３０３によってカレンダーＢへの切替承認を伝送装置３０ｐに送信する（ステップＳａ５−１）。伝送装置３０ｑの管理部３７ｑは、カレンダーＢへの切替要求を受信して、切り替えの準備処理が整うとＦｌｅｘＥ信号のオーバーヘッド領域の「ＣＡ」３０３によってカレンダーＢへの切替承認を伝送装置３０ｐに送信する（ステップＳａ５−２）。インタフェース装置１０ｑの制御部１１ｑは、カレンダーＢへの切替要求を受信して、切り替えの準備処理が整うとＦｌｅｘＥ信号のオーバーヘッド領域の「ＣＡ」３０３によってカレンダーＢへの切替承認を伝送装置３０ｐに送信する（ステップＳａ５−３）。
【００４１】
伝送装置３０ｐの管理部３７ｐは、ＦｌｅｘＥ信号のオーバーヘッド領域の「Ｃ」３０１によってカレンダーＢへの切替実行要求をインタフェース装置１０ｐ、伝送装置３０ｑ、インタフェース装置１０ｑに送信する（ステップＳａ６）。伝送装置３０ｐの管理部３７ｐは、カレンダーＢへの切り替えを実行し、インタフェース装置１０ｐの制御部１１ｐ、伝送装置３０ｑの管理部３７ｑ、及びインタフェース装置１０ｑの制御部１１ｑは、ＦｌｅｘＥ信号のオーバーヘッド領域の「Ｃ」３０１を受信するとカレンダーＢへの切り替えを実行する（ステップＳａ７−１〜Ｓａ７−４）。このとき、インタフェース装置１０ｐでは、切り替えられたカレンダーＢの設定情報に基づいて、使用禁止スロット設定部１２ｐ−４が、使用禁止スロットとなるスロットを選択し、選択したスロットを使用禁止スロットとして設定する。
【００４２】
これにより、インタフェース装置１０ｐ、伝送装置３０ｐ、伝送装置３０ｑ、及びインタフェース装置１０ｑの間でカレンダーＢによる伝送が行われる（ステップＳａ８）。伝送装置３０ｐの管理部３７ｐは、切り替え後のカレンダーＢの設置情報をＮＷ制御装置７０に送信する（ステップＳａ９）。
【００４３】
上記の第１の実施形態の構成では、図１に示すように、使用禁止スロット設置部１２−４のみが、使用禁止スロットとするスロットを選択して、使用禁止スロットとして設定するため、使用禁止スロットの位置を物理回線２０−４にまとめることができる。そのため、伝送装置３０において１つのクランチ処理部３３を備えるだけで、使用禁止スロットの全てを削除して中間帯域を生成することができ、回路規模の低減を図ることができる。
【００４４】
また、第１の実施形態の構成では、図４に示すように、カレンダーを切り替えることにより、クランチ処理部３３ｐが正しく使用禁止スロットを削除できるように、使用禁止スロットをまとめる位置を正しい位置に変更することができる。すなわち、使用禁止スロットが物理回線２０ｐ−４にまとめられていないために、クランチ処理部３３ｐにおいて正しく使用禁止スロットが削除できない場合があるとする。伝送装置３０ｐの管理部３７ｐが、物理回線２０ｐ−４に使用禁止スロットをまとめる新たな設定情報を生成し、カレンダーを切り替えることによって、生成した新たな設定情報に基づいて、使用禁止スロット設定部１２ｐ−４が使用禁止スロットを設定する。これにより、インタフェース装置１０ｐ、伝送装置３０ｐ、伝送装置３０ｑ、インタフェース装置１０ｑの間でカレンダーを同期させて切り替えることができ、ｉｎ−ｓｅｒｖｉｃｅの状態でクライアント信号のマッピング状況、すなわち使用禁止スロットを設定する位置をアップデートして、使用禁止スロットを物理回線２０ｐ−４に正しくまとめることができる。したがって、伝送装置３０ｐに１つのクランチ処理部３３ｐを備えるだけで、使用禁止スロットの全てを削除して中間帯域を生成することができ、回路規模の低減を図ることができる。
【００４５】
（第２の実施形態）
次に、本発明の第２の実施形態について説明する。図５は、図２に示す光伝送システム１ｐにおいて、物理回線２０ｐ−４に使用禁止スロットが正しくまとめられていない場合に、使用禁止スロットを物理回線２０ｐ−４にまとめるように変更する、本発明の第２の実施形態に係る処理を示すシーケンス図である。ＮＷ制御装置７０によって設定されたカレンダーＡの構成が、クランチ処理部３３ｐを有する物理回線２０ｐ−４に使用禁止スロットがまとめられていないために正しく使用禁止スロットを削除することができず、主信号が不通となっている状態とする。伝送装置３０ｐの管理部３７ｐは、当該主信号の不通を検出する（ステップＳｂ１）。
【００４６】
伝送装置３０ｐの管理部３７ｐは、主信号の不通を検出すると、ＦｌｅｘＥ信号のオーバーヘッド領域の「Ｃｌｉｅｎｔ  Ｃａｌｅｎｄａｒ  Ａ」３０４を参照して、カレンダーＡの設定情報を検出する。また、管理部３７ｐは、伝送装置３０ｐのクランチ処理部３３ｐが使用禁止スロットを削除する対象としている物理回線２０ｐ−４を示す情報と、検出したカレンダーＡの設定情報とに基づいてカレンダーＢの設定情報を生成する（ステップＳｂ２）。伝送装置３０ｐの管理部３７ｐは、生成したカレンダーＢの情報を、ＦｌｅｘＥ信号のオーバーヘッド領域の「Ｍａｎａｇｅｍｅｎｔ  Ｃｈａｎｎｅｌ  −  Ｓｅｃｔｉｏｎ」３０６、または「Ｍａｎａｇｅｍｅｎｔ  Ｃｈａｎｎｅｌ  −  Ｓｈｉｍ  ｔｏ  Ｓｈｉｍ」３０７を通じてインタフェース装置１０ｐに送信する（ステップＳｂ３）。
【００４７】
インタフェース装置１０ｐの制御部１１ｐは、「Ｍａｎａｇｅｍｅｎｔ  Ｃｈａｎｎｅｌ  −  Ｓｅｃｔｉｏｎ」３０６、または「Ｍａｎａｇｅｍｅｎｔ  Ｃｈａｎｎｅｌ  −  Ｓｈｉｍ  ｔｏ  Ｓｈｉｍ」３０７を通じて受信したカレンダーＢの設定情報を、その時点で使用していないＦｌｅｘＥ信号のオーバーヘッド領域の「Ｃｌｉｅｎｔ  Ｃａｌｅｎｄａｒ  Ｂ」３０５によって伝送装置３０ｐ、伝送装置３０ｑ、インタフェース装置１０ｑにカレンダーＢ設定情報通知として送信する（ステップＳｂ４）。
【００４８】
インタフェース装置１０ｐの制御部１１ｐは、ＦｌｅｘＥ信号のオーバーヘッド領域の「ＣＲ」３０２によってカレンダーＢへの切替要求を伝送装置３０ｐ、伝送装置３０ｑ、インタフェース装置１０ｑに送信する（ステップＳｂ５）。伝送装置３０ｐの管理部３７ｐは、カレンダーＢへの切替要求を受信して、切り替えの準備処理が整うとＦｌｅｘＥ信号のオーバーヘッド領域の「ＣＡ」３０３によってカレンダーＢへの切替承認をインタフェース装置１０ｐに送信する（ステップＳｂ６−１）。伝送装置３０ｑの管理部３７ｑは、カレンダーＢへの切替要求を受信して、切り替えの準備処理が整うとＦｌｅｘＥ信号のオーバーヘッド領域の「ＣＡ」３０３によってカレンダーＢへの切替承認をインタフェース装置１０ｐに送信する（ステップＳｂ６−２）。インタフェース装置１０ｑの制御部１１ｑは、カレンダーＢへの切替要求を受信して、切り替えの準備処理が整うとＦｌｅｘＥ信号のオーバーヘッド領域の「ＣＡ」３０３によってカレンダーＢへの切替承認をインタフェース装置１０ｐに送信する（ステップＳｂ６−３）。
【００４９】
インタフェース装置１０ｐの制御部１１ｐは、ＦｌｅｘＥ信号のオーバーヘッド領域の「Ｃ」３０１によってカレンダーＢへの切替実行要求を伝送装置３０ｐ、伝送装置３０ｑ、インタフェース装置１０ｑに送信する（ステップＳｂ７）。インタフェース装置１０ｐの制御部１１ｐは、カレンダーＢへの切り替えを実行し、伝送装置３０ｐの管理部３７ｐ、伝送装置３０ｑの管理部３７ｑ、及びインタフェース装置１０ｑの制御部１１ｑは、ＦｌｅｘＥ信号のオーバーヘッド領域の「Ｃ」３０１を受信するとカレンダーＢへの切り替えを実行する（ステップＳｂ８−１〜Ｓｂ８−４）。このとき、インタフェース装置１０ｐでは、切り替えられたカレンダーＢの設定情報に基づいて、使用禁止スロット設定部１２ｐ−４が、使用禁止スロットとなるスロットを選択し、選択したスロットを使用禁止スロットとして設定する。
【００５０】
これにより、インタフェース装置１０ｐ、伝送装置３０ｐ、伝送装置３０ｑ、及びインタフェース装置１０ｑの間でカレンダーＢによる伝送が行われる（ステップＳｂ９）。伝送装置３０ｐの管理部３７ｐは、切り替え後のカレンダーＢの設置情報をＮＷ制御装置７０に送信する（ステップＳｂ１０）。
【００５１】
上記の第２の実施形態の構成では、図５に示すように、カレンダーを切り替えることにより、クランチ処理部３３ｐが正しく使用禁止スロットを削除できるように、使用禁止スロットをまとめる位置を正しい位置に変更することができる。すなわち、使用禁止スロットが物理回線２０ｐ−４にまとめられていないために、クランチ処理部３３ｐにおいて正しく使用禁止スロットが削除できない場合があるとする。伝送装置３０ｐの管理部３７ｐが、物理回線２０ｐ−４に使用禁止スロットをまとめる新たな設定情報を生成し、インタフェース装置１０ｐの制御部１１ｐに送信する。インタフェース装置１０ｐの制御部１１ｐが、受信した新たな設定情報を伝送装置３０ｐ、伝送装置３０ｑ、インタフェース装置１０ｑに送信して、カレンダーを切り替えることによって、生成した新たな設定情報に基づいて、使用禁止スロット設定部１２ｐ−４が使用禁止スロットを設定する。これにより、インタフェース装置１０ｐ、伝送装置３０ｐ、伝送装置３０ｑ、インタフェース装置１０ｑの間でカレンダーを同期させて切り替えることができ、ｉｎ−ｓｅｒｖｉｃｅの状態でクライアント信号のマッピング状況、すなわち使用禁止スロットを設定する位置をアップデートして、使用禁止スロットを物理回線２０ｐ−４にまとめることができる。したがって、伝送装置３０ｐに１つのクランチ処理部３３ｐを備えるだけで、使用禁止スロットの全てを削除して中間帯域を生成することができ、回路規模の低減を図ることができる。
【００５２】
また、第１の実施形態の構成では、伝送装置３０ｐの管理部３７ｐがカレンダーを切り替える切替要求や切替実行要求を送信するのに対して、第２の実施形態では、インタフェース装置１０ｐの制御部１１ｐが、カレンダーを切り替える切替要求や切替実行要求を送信する。インタフェース装置１０ｐ、すなわちＦｌｅｘＥ  Ｓｈｉｍが、カレンダーの切り替え処理を行う構成は、ＯＩＦで規定されている標準構成の範囲内の動作であり、第２の実施形態を適用することで、使用禁止スロットをまとめる処理を、標準構成の処理で実現することができる。
【００５３】
（第３の実施形態）
次に、本発明の第３の実施形態について説明する。図６は、図２に示す光伝送システム１ｐにおいて、物理回線２０ｐ−４に使用禁止スロットが正しくまとめられていない場合に、使用禁止スロットを物理回線２０ｐ−４にまとめるように変更する、本発明の第３の実施形態に係る処理を示すシーケンス図である。ＮＷ制御装置７０によって設定されたカレンダーＡの構成が、クランチ処理部３３ｐを有する物理回線２０ｐ−４に使用禁止スロットがまとめられていないために正しく使用禁止スロットを削除することができず、主信号が不通となっている状態とする。伝送装置３０ｐの管理部３７ｐは、当該主信号の不通を検出する（ステップＳｃ１）。
【００５４】
伝送装置３０ｐの管理部３７ｐは、主信号の不通を検出すると、ＦｌｅｘＥ信号のオーバーヘッド領域の「Ｃｌｉｅｎｔ  Ｃａｌｅｎｄａｒ  Ａ」３０４を参照して、カレンダーＡの設定情報を検出する。また、管理部３７ｐは、伝送装置３０ｐのクランチ処理部３３ｐが使用禁止スロットを削除する対象としている物理回線２０ｐ−４を示す情報と、検出したカレンダーＡの設定情報とに基づいてカレンダーＢの設定情報を生成する（ステップＳｃ２）。伝送装置３０ｐの管理部３７ｐは、生成したカレンダーＢの設定情報をＮＷ制御装置７０に送信する（ステップＳｃ３）。
【００５５】
ＮＷ制御装置７０は、伝送装置３０ｐの管理部３７ｐから受信したカレンダーＢの設定情報をインタフェース装置１０ｐ、伝送装置３０ｐ、伝送装置３０ｑ、インタフェース装置１０ｑにカレンダーＢ設定情報通知として送信する（ステップＳｃ４）。インタフェース装置１０ｐの制御部１１ｐ、伝送装置３０ｐの管理部３７ｐ、伝送装置３０ｑの管理部３７ｑ、インタフェース装置１０ｑの制御部１１ｑは、ＮＷ制御装置７０からカレンダーＢの設定情報を受信する。ＮＷ制御装置７０は、カレンダーＢ設定情報通知を送信した後、カレンダーＢを設定する設定要求とカレンダーＢへの切り替えを要求する切替要求をインタフェース装置１０ｐ、伝送装置３０ｐ、伝送装置３０ｑ、インタフェース装置１０ｑに送信する（ステップＳｃ５）。
【００５６】
インタフェース装置１０ｐの制御部１１ｐ、伝送装置３０ｐの管理部３７ｐ、伝送装置３０ｑの管理部３７ｑ、及びインタフェース装置１０ｑの制御部１１ｑは、ＮＷ制御装置７０からカレンダーＢに対する設定要求と切替要求を受信すると、カレンダーＢの設定を行い、カレンダーＢへの切り替えを実行する（ステップＳｃ６−１〜Ｓｃ６−４）。このとき、インタフェース装置１０ｐでは、切り替えられたカレンダーＢの設定情報に基づいて、使用禁止スロット設定部１２ｐ−４が、使用禁止スロットとなるスロットを選択し、選択したスロットを使用禁止スロットとして設定する。これにより、インタフェース装置１０ｐ、伝送装置３０ｐ、伝送装置３０ｑ、及びインタフェース装置１０ｑの間でカレンダーＢによる伝送が行われる（ステップＳｃ７）。
【００５７】
上記の第３の実施形態の構成では、図６に示すように、カレンダーを切り替えることにより、クランチ処理部３３ｐが正しく使用禁止スロットを削除できるように、使用禁止スロットをまとめる位置を正しい位置に変更することができる。すなわち、使用禁止スロットが物理回線２０ｐ−４にまとめられていないために、クランチ処理部３３ｐにおいて正しく使用禁止スロットが削除できない場合があるとする。伝送装置３０ｐの管理部３７ｐが、物理回線２０ｐ−４に使用禁止スロットをまとめる新たな設定情報を生成し、ＮＷ制御装置７０に送信する。ＮＷ制御装置７０は、受信した新たな設定情報をインタフェース装置１０ｐ、伝送装置３０ｐ、伝送装置３０ｑ、インタフェース装置１０ｑに送信して、カレンダーを切り替えることによって、生成した新たな設定情報に基づいて、使用禁止スロット設定部１２ｐ−４が使用禁止スロットを設定する。これにより、インタフェース装置１０ｐ、伝送装置３０ｐ、伝送装置３０ｑ、インタフェース装置１０ｑの間でカレンダーを同期させて切り替えることができ、ｉｎ−ｓｅｒｖｉｃｅの状態でクライアント信号のマッピング状況、すなわち使用禁止スロットを設定する位置をアップデートして、使用禁止スロットを物理回線２０ｐ−４にまとめることができる。したがって、伝送装置３０ｐに１つのクランチ処理部３３ｐを備えるだけで、使用禁止スロットの全てを削除して中間帯域を生成することができ、回路規模の低減を図ることができる。また、第３の実施形態の構成では、新たなカレンダーＢでの伝送が実行される前に、ＮＷ制御装置７０が新たなカレンダーＢでの伝送に切り替わるという情報を得ることができる。
【００５８】
なお、上記の第３の実施形態の構成おいて、例えば、伝送装置３０ｑとインタフェース装置１０ｑとの間においても、使用禁止スロットが物理回線２０ｑ−４にまとめられていないために正しく使用禁止スロットを削除することができず、主信号が不通となっているとする。このとき、伝送装置３０ｑの管理部３７ｑが、伝送装置３０ｐの管理部３７ｐが行っている処理と同様にして、カレンダーＡの設定情報を検出して、新たにカレンダーＢの設定情報を生成してＮＷ制御装置７０に送信したとする。このとき、ＮＷ制御装置７０は、伝送装置３０ｐの管理部３７ｐと、伝送装置３０ｑの管理部３７ｑの双方からカレンダーＢの設定情報を受信することになる。
【００５９】
ＮＷ制御装置７０は、２つのカレンダーＢの設定情報を使用禁止スロットの配置状況を示す情報が最新の情報となるように統合して新たにカレンダーＢの設定情報を生成し、生成した新たなカレンダーＢの設定情報に基づいて、ステップＳｃ４及びＳｃ５の処理を行う。これにより、インタフェース装置１０ｐと伝送装置３０ｐとの間、及びインタフェース装置１０ｑと伝送装置３０ｑとの間の使用禁止スロットが物理回線２０ｑ−４に正しくまとめられ、カレンダーＢによる正常な伝送を行うことができる。なお、複数のカレンダーＢ設定情報に基づいてカレンダーＢへの切替処理を行うために、ＮＷ制御装置７０において、予め定められる回数以上、ステップＳｃ３によるカレンダーＢ設定情報通知を受信した場合に、カレンダーＢに切り替えるという構成を設けるようにしてもよい。
【００６０】
また、図３に示すオーバーヘッド領域において、カレンダーＡとカレンダーＢに加えてカレンダーＣが存在する場合、２つのカレンダーＢから、新たにカレンダーＣの設定情報を生成して、カレンダーＣに切り替えるようにしてもよい。
【００６１】
なお、上記の第１、第２、及び第３の実施形態において、光伝送システム１ｑについては、光伝送システム１ｐと同様に、図１に示すクランチ処理部３３が１つに削減されている光伝送システム１の構成が適用されていてもよいし、図１２に示す従来の構成が適用されていてもよい。
【００６２】
（第４の実施形態）
図７は、第４の実施形態における光伝送システム２の構成を示すブロック図である。第１の実施形態の光伝送システム１と同一の構成については、同一の符号を付し、以下、異なる構成について説明する。第４の実施形態の光伝送システム２の伝送装置３０ａは、第１の実施形態におけるＭＵＸ部３４を備えず、ＯＨ処理部３２−１〜ＯＨ処理部３２−３の各々が、ＯＤＵｆｌｅｘ収容部３５−１〜３５−３に接続され、クランチ処理部３３が、ＯＤＵｆｌｅｘ収容部３５−４に接続される。ＯＤＵｆｌｅｘ収容部３５−１〜３５−４の各々が、データをＯＤＵｆｌｅｘに収容し、ＯＤＵｆｌｅｘがＯＴＮ収容部３６によって再度時分割多重されてＯＴＮフレームに収容され、光トランスポートネットワーク６０に送出される。第４の実施形態の構成により、第１の実施形態のＭＵＸ部３４を備える必要がなく、また、第１の実施形態のＯＤＵｆｌｅｘ収容部３５に替えて、ＯＤＵｆｌｅｘ収容部３５−１〜３５−４とすることで回路規模を小さくすることができる。
【００６３】
（第５の実施形態）
図８は、第５の実施形態による光伝送システム３の構成を示すブロック図である。第１の実施形態の光伝送システム１と同一の構成については、同一の符号を付し、以下、異なる構成について説明する。第５の実施形態の光伝送システム３は、インタフェース装置１０ｂと伝送装置３０ｂとを備える。インタフェース装置１０ｂは、物理回線２０−３に接続する１つの使用禁止スロット設定部１２のみを備える。伝送装置３０ｂは、ＰＨＹ３１−１〜３１−４とＯＨ処理部３２−１〜３２−４とに接続されるスイッチ部３８を備える。
【００６４】
第５の実施形態の構成において、インタフェース装置１０ｂにおいて１つの使用禁止スロット設定部１２しか備えていない場合に、管理部３７からのスイッチ切替指示信号に基づいて、スイッチ部３８のスイッチをＰＨＹ終端部３１−３とＯＨ処理部３２−４とが接続されるように切り替える。また、ＰＨＹ終端部３１−４とＯＨ処理部３２−３とが接続されるようにスイッチ部３８のスイッチを切り替える。これにより、使用禁止スロット設定部１２とクランチ処理部３３とを対向させることができ、クランチ処理部３３が使用禁止スロットを正しく削除することができる。すなわち、使用禁止スロットをいずれか１つの物理回線２０−１〜２０−４にまとめるようにすれば、使用禁止スロット設定部１２がクランチ処理部３３に対向するようにスイッチ部３８のスイッチを切り替えることでクランチ処理部３３が正しく使用禁止スロットを削除して中間帯域を生成することができる。また、第５の実施形態の構成により、少なくとも１つの使用禁止スロット設定部１２を備えるインタフェース装置１０ｂであれば、どのような物理回線２０−１〜２０−４に当該使用禁止スロット設定部１２が接続する構成であっても、伝送装置３０ｂに接続するインタフェース装置１０ｂとして用いることができる。
【００６５】
（第６の実施形態）
図９は、第６の実施形態による光伝送システム４の構成を示すブロック図である。第１の実施形態の光伝送システム１と同一の構成については、同一の符号を付し、以下、異なる構成について説明する。第６の実施形態の光伝送システム４の伝送装置３０ｃでは、クランチ処理部３３が、ＯＨ処理部３２−３に接続されている。光伝送システム４では、４本の４本の物理回線２０−１〜２０−４で構成される４００Ｇｂｉｔ／ｓの伝送容量のうち、２５０Ｇｂｉｔ／ｓの帯域を用いてクライアント信号の伝送を行う。光伝送システム４において、２つの物理回線２０−１，２０−２については、全てのスロットを使用してクライアント信号の伝送を行い、物理回線２０−３については、半分の５０Ｇｂｉｔ／ｓ分のスロットを用いてクライアント信号の伝送を行い、残りの半分には使用禁止スロット設定部１２−３によって使用禁止スロットを設定させる。
【００６６】
物理回線２０−４については、使用禁止スロット設定部１２−４によって伝送自体を行わない休止レーンとする。これにより、光伝送システム４では、インタフェース装置１０と伝送装置３０ｃとの間で２５０Ｇｂｉｔ／ｓの伝送容量を構成することができる。このように、物理回線２０−１〜２０−４において、使用禁止スロットを含む回線数が最小となるように、使用禁止スロットの位置をまとめる。これにより、物理回線２０−１〜２０−４の各々の容量である１００Ｇｂｉｔ／ｓの逓倍の伝送容量に対して端数となる帯域分に関して、使用するスロットと使用禁止スロットが混在するのは、高々１本の物理回線２０−３になる。そのため、１つのクランチ処理部３３を備えるだけで正しく使用禁止スロットを削除して中間帯域を生成することができ、回路規模を小さくすることができる。
【００６７】
なお、物理回線２０−４については、使用禁止スロット設定部１２−４が、休止レーンとするのではなく、全てのスロットを使用禁止スロットにするようにしてもよい。その場合、ＯＨ処理部３２−４が出力する信号から使用禁止スロットを削除するもう１台のクランチ処理部３３が備えられるようにしてもよいし、休止レーンと同様の扱いで、ＯＨ処理部３２−４に信号を出力させないようにしてもよい。
【００６８】
なお、上記の第１から第６の実施形態において、物理回線２０−１〜２０−４の数を４本としているが、複数本であれば、どのような数でもよく、２本、または３本であってもよいし、５本以上あってもよい。
また、上記の第４、第５及び第６の実施形態の光伝送システム２、３、４を適用して、第１、第２及び第３の実施形態のカレンダーＡ／Ｂを用いた設定情報の切り替え処理が行われるようにしてもよい。
【００６９】
上述した第１から第６の実施形態におけるインタフェース装置１０，１０ｂ，１０ｃ，１０ｐ，１０ｑ、伝送装置３０，３０ａ，３０ｂ，３０ｃ，３０ｐ、３０ｑをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７０】
以上、この発明の実施形態について図面を参照して詳述してきたが、具体的な構成はこの実施形態に限られるものではなく、この発明の要旨を逸脱しない範囲の設計等も含まれる。
【符号の説明】
【００７１】
１…光伝送システム，１０…インタフェース装置，１１…制御部，１２−１〜１２−４…使用禁止スロット設定部，２０−１〜２０−４…物理回線，３０…伝送装置，３１−１〜３１−４…ＰＨＹ終端部，３２−１〜３２−４…ＯＨ処理部，３３…クランチ処理部，３４…ＭＵＸ部，３５…ＯＤＵｆｌｅｘ収容部，３６…ＯＴＮ収容部，３７…管理部，３８…スイッチ部，５０−１〜５０−ｍ…クライアント装置
【図１】
2018085653.tif 000003
【図２】
2018085653.tif 000004
【図３】
2018085653.tif 000005
【図４】
2018085653.tif 000006
【図５】
2018085653.tif 000007
【図６】
2018085653.tif 000008
【図７】
2018085653.tif 000009
【図８】
2018085653.tif 000010
【図９】
2018085653.tif 000011
【図１０】
2018085653.tif 000012
【図１１】
2018085653.tif 000013
【図１２】
2018085653.tif 000014